(57)【要約】【課題】  大便用又は女性用としてだけでなく、男性の小便用（起立した状態で用を足す使い方）としても使い易い折畳み式簡易便器を提供する。【解決手段】  ２体のコ字状の脚フレーム２をその左右辺の中間部分で折畳み可能に枢支し、２体の脚フレーム２の横辺同士を枠状の補助フレーム４で脱着可能に連結し、片方の脚フレーム２の横辺に便座５の基部５ａを回転可能に軸支し、排水穴７ｃを有する小便シュート７を補助フレーム４に脱着可能に取り付け、小便シュート７の前方にＵ字状の小便飛散防止板８を脱着可能に取り付け、小便シュート７の排水穴７ｃの直下に小便収容タンク９を配置する。【選択図】図１
0003135915.tif 000002
【実用新案登録請求の範囲】
【請求項１】
２体のコ字状の脚フレームをその左右辺の中間部分で折畳み可能に枢支し、２体の脚フレームの横辺同士を枠状の補助フレームで脱着可能に連結し、片方の脚フレームの横辺に便座の基部を回転可能に軸支し、排水穴を有する小便シュートを補助フレームに脱着可能に取り付け、その排水穴の直下に小便収容タンクを配置した、折畳み式簡易便器。
【請求項２】
小便シュートの前方に脱着可能に取り付けられる小便飛散防止板を備えた、請求項１記載の折畳み式簡易便器。
【請求項３】
小便シュートに脱着可能に取り付けできる便収容袋を備えた、請求項１又は２記載の折畳み式簡易便器。
【請求項４】
脚フレームの下端部が脱着可能である、請求項１〜３いずれか記載の折畳み式簡易便器。
【考案の詳細な説明】
【技術分野】
【０００１】
本考案は、持ち運びが容易な折畳み式簡易便器に関する。
【背景技術】
【０００２】
従来、アウトドアや災害時に用いられる折畳み式簡易便器としては、例えば特許文献１に開示されているものがある。この技術は、２つの支柱を回動可能に組み合わせて折畳み可能とした脚部と、底部にシートフレームを備えた便座とで構成され、支柱の一方はシートフレーム又は便座と回動可能に連結し、シートフレームには支柱の他方と係合する係止片を取り付け、シートフレーム又は便座にはネット又は籠を張設し、且つネット又は籠に交換可能な汚物収納袋を備えた構造を特徴としている。
【０００３】
ところで、前記の折畳み式簡易便器は、展開した支柱が便座に備えたシートフレームの係止片と係合しないと展開状態を保持できない構造であるから、実質的には大便用又は女性用となり、男性の小便用（起立した状態で用を足す使い方）としては使い難いものであった。
【特許文献１】実用新案登録第３０１５８８５号公報
【考案の開示】
【考案が解決しようとする課題】
【０００４】
本考案が解決しようとする課題は、従来のこれらの問題点を解消し、大便用又は女性用としてだけでなく、男性の小便用としても使い易い折畳み式簡易便器を提供することにある。
【課題を解決するための手段】
【０００５】
かかる課題を解決した本考案の構成は、
１）  ２体のコ字状の脚フレームをその左右辺の中間部分で折畳み可能に枢支し、２体の脚フレームの横辺同士を枠状の補助フレームで脱着可能に連結し、片方の脚フレームの横辺に便座の基部を回転可能に軸支し、排水穴を有する小便シュートを補助フレームに脱着可能に取り付け、その排水穴の直下に小便収容タンクを配置した、折畳み式簡易便器
２）  小便シュートの前方に脱着可能に取り付けられる小便飛散防止板を備えた、前記１）記載の折畳み式簡易便器
３）  小便シュートに脱着可能に取り付けできる便収容袋を備えた、前記１）又は２）記載の折畳み式簡易便器
４）  脚フレームの下端部が脱着可能である、前記１）〜３）いずれか記載の折畳み式簡易便器
にある。
【考案の効果】
【０００６】
本考案によれば、男性が起立した状態で小便をする際は、小便シュートを補助フレームに掛止して取り付け、小便シュートの排水穴の直下に小便収容タンクを載置して用を足す。女性の小便時は、便座を小便シュート上に回転させて載置し、便座に着座して用を足す。大便時は、便収容袋を小便シュートに落とし込んで取り付け、便座を補助フレーム上に回転させて載置し、便座に着座して用を足す。このように、展開した脚フレームを補助フレームで連結して固定することで、便座を上げたままの状態でも使用可能となるから、大便用又は女性用としてだけでなく、男性の小便用としても使い易いものとなる。
【考案を実施するための最良の形態】
【０００７】
本考案では、小便シュートの前方にＵ字状に湾曲した小便飛散防止板を脱着可能に取り付けると、小便シュートで跳ね返った小便が周囲に飛散して汚れるのを防止できる。また、脚フレームの下端部を脱着可能にすると、運搬時はよりコンパクトな形態にできる。以下、本考案の実施例を図面に基づいて具体的に説明する。
【実施例１】
【０００８】
図１〜３は実施例の折畳み式簡易便器の使用状態を示す斜視図、図４は実施例の折畳み式簡易便器のフレームの斜視図、図５は実施例の折畳み式簡易便器の分解・折畳みを示す説明図である。
【０００９】
図中、１は折畳み式簡易便器、２は脚フレーム、２ａは枢支部、２ｂは規制フレーム、３は継足、４は補助フレーム、４ａは嵌合具、５は便座、５ａは基部、６は便収容袋、６ａは枠体、７は小便シュート、７ａは縁片、７ｂは溝、７ｃは排水穴、８は小便飛散防止板、９は小便収容タンクである。
【００１０】
本実施例の折畳み式簡易便器１は、図４に示すように２体のコ字状の金属パイプ製の脚フレーム２をその左右辺の中間部分で折畳み可能に枢支し、脚フレーム２の展開の開度を規制する規制フレーム２ｂを下部に備え、脚フレーム２の下端に金属パイプ製の継足３を脱着可能に取り付けている。２体の脚フレーム２の横辺同士は枠状の補助フレーム４を嵌合具４ａで脱着可能に連結して展開状態を保持している。片方の脚フレーム２の横辺にはプラスチック製の便座５をその基部５ａで回転可能に軸支し、便座５を補助フレーム４上に回転させて載置できるようにしている。
【００１１】
男性が小便をする際は、図１に示すようにプラスチック製の小便シュート７を上方から脱着可能に落とし込んで縁片７ａを補助フレーム４に掛止し、小便シュート７の排水穴７ｃの直下に小便収容タンク９を載置し、小便シュート７の溝７ｂにＵ字状に湾曲したプラスチック製の小便飛散防止板８を取り付けて用を足す。女性の小便時は、図２に示すように小便飛散防止板８を取り外した状態で便座５を小便シュート７上に回転させて載置し、便座５上に着座して用を足す。大便時は、図３に示すように便収容袋６を小便シュート７に脱着可能に落とし込んで枠体６ａを縁片７ａに掛止し、便座５を枠体６ａ上に回転させて載置し、便座５上に着座して用を足す。
【００１２】
未使用時や運搬時は、便収容袋６及び小便シュート７を補助フレーム４から取り外し、図５に示すように継足３を脚フレーム２から取り外し、補助フレーム４の前後いずれかの嵌合具４ａを脚フレーム２の横辺から取り外し、２体の脚フレーム２を折り畳むとともに補助フレーム４と便座５を脚フレーム２に重ねるように回転させてコンパクトな形態にし、これをバッグ等（図示せず）に収容する。
【産業上の利用可能性】
【００１３】
本考案の折畳み式簡易便器は、アウトドアや災害時に好適である。
【図面の簡単な説明】
【００１４】
【図１】実施例の折畳み式簡易便器の使用状態を示す斜視図である。
【図２】実施例の折畳み式簡易便器の使用状態を示す斜視図である。
【図３】実施例の折畳み式簡易便器の使用状態を示す斜視図である。
【図４】実施例の折畳み式簡易便器のフレームの斜視図である。
【図５】実施例の折畳み式簡易便器の分解・折畳みを示す説明図である。
【符号の説明】
【００１５】
１  折畳み式簡易便器
２  脚フレーム
２ａ  枢支部
２ｂ  規制フレーム
３  継足
４  補助フレーム
４ａ  嵌合具
５  便座
５ａ  基部
６  便収容袋
６ａ  枠体
７  小便シュート
７ａ  縁片
７ｂ  溝
７ｃ  排水穴
８  小便飛散防止板
９  小便収容タンク
【図１】
0003135915.tif 000003
【図２】
0003135915.tif 000004
【図３】
0003135915.tif 000005
【図４】
0003135915.tif 000006
【図５】
0003135915.tif 000007